(57)【要約】【課題】  本発明は、再生するコンテンツが自動的に選択設定されるコンテンツ再生装置およびコンテンツ再生方法を提供することを目的とする。【解決手段】  複数のサブコンテンツ（Ｄｓｃ）を有するコンテンツデータ（ＤＳＴ）から、コンテンツを繰返し再生するコンテンツ再生装置（Ａｐ）において、コンテンツデータ分離手段（１）はコンテンツデータ（ＤＳ）から、少なくとも複数のサブコンテンツ（Ｄｓｃ）を分離抽出し、再生サブコンテンツ選択手段（８、２）はコンテンツ（ＤＳＴ）の再生を繰返す毎に複数のサブコンテンツ（Ｄｓｃ）から再生するものを選択する。【選択図】  図１
2006066050.tif 000002
【特許請求の範囲】
【請求項１】
複数のサブコンテンツを有するコンテンツデータから、コンテンツを繰返し再生するコンテンツ再生装置であって、
前記コンテンツデータから、少なくとも複数のサブコンテンツを分離抽出するコンテンツデータ分離手段と、
コンテンツの再生を繰返す毎に、前記複数のサブコンテンツから再生するものを選択する再生サブコンテンツ選択手段とを備えるコンテンツ再生装置。
【請求項２】
前記生成サブコンテンツ選択手段は、
前記コンテンツの再生を繰返す回数をカウントするカウント手段を備え、当該カウントされた回数に応じて、前記複数のサブコンテンツから再生するものを選択することを特徴とする請求項１に記載のコンテンツ再生装置。
【請求項３】
前記コンテンツデータは、記録メディアに格納されて供給され、当該記録メディアから当該コンテンツデータを読み出す読み出し手段と、
前記読み出し手段を前記記録メディアに対して所定の位置に移動させる読み取り移動手段とをさらに備え、
遅くとも、前記読み取り手段を前記記録メディア上の読み取り開始位置に移動させて前記コンテンツデータの読み取りを開始するとき迄に、前記再生サブコンテンツ選択手段は再生するサブコンテンツを選択することを特徴とする請求項１および請求項２のいずれかに記載のコンテンツ再生装置。
【請求項４】
外部から入力される再生指示に基づいて、前記記録メディア上のコンテンツ再生開始位置を任意に位置に変更するコンテンツ再生開始位置変更手段と、
前記コンテンツの再生動作に関連づけて、再生すべきサブコンテンツを規定するサブコンテンツ選択テーブルと、
前記再生動作を検出する再生動作検出手段と、
前記検出された再生動作で、前記サブコンテンツ選択テーブルを照合して、前記再生すべきサブコンテンツを選択するサブコンテンツ選択手段とを、さらに備え、前記再生動作は前記設定されたコンテンツ再生開始位置が変更されることを請求項３に記載のコンテンツ再生装置。
【請求項５】
ユーザの指示に応答して、前記サブコンテンツ選択テーブルを書き換えるサブコンテンツテーブル変更手段とを備える請求項４に記載のコンテンツ再生装置。
【請求項６】
ユーザの指示に基づいて、前記記録メディア上の２つの位置を設定する再生位置設定手段と、
前記読み取り手段に前記２つの位置の間からコンテンツを繰返し生成させる２点間コンテンツ繰返し再生手段とを備え、前記２つの位置の間のコンテンツを生成する毎に、ブコンテンツ選択手段は前記再生すべきサブコンテンツを選択することを特徴とする請求項４に記載のコンテンツ再生装置。
【請求項７】
前記サブコンテンツ選択テーブルが前記サブコンテンツテーブル変更手段により書き換えられる間、前記コンテンツ再生は中断されることを特徴とする請求項５に記載のコンテンツ再生装置。
【請求項８】
前記サブコンテンツの再生時に、通常の再生モードの他に１つ以上の特殊な再生モードを選択出来る事を特徴とする、請求項１に記載のコンテンツ再生装置。
【請求項９】
前記特殊な再生モードと、再生するサブコンテンツとを組み合わせた再生パターンを戻し再生パターンテーブルとして複数保有し、当該再生パターンの順序をユーザが任意に設定出来ることを特徴とする請求項８に記載のコンテンツ再生装置。
【請求項１０】
前記再生パターンをユーザが任意に規定出来、コンテンツ特性に応じて、基本となる戻し再生テーブルを提供する事を特徴とする、請求項９に記載のコンテンツ再生装置
【発明の詳細な説明】
【技術分野】
【０００１】
本発明は、それぞれ複数の映像や音声が記録されたコンテンツの再生装置に関し、さらに詳述すると、再生するコンテンツが自動的に選択設定されるコンテンツ再生装置およびコンテンツ再生方法を提供することを目的とする。
【背景技術】
【０００２】
従来、コンテンツ再生装置として、光ディスク再生装置や半導体オーディオプレーヤー等がある。このような再生装置は、コンテンツの管理情報に従い、映像に関連付けされた音声や、字幕の言語選択などを任意の言語に変更する事が出来る。その方法の１つとして、ユーザの操作に応じて、ユーザが指定した字幕や音声への設定を瞬時に切り替えるもの（特許文献１）が提案されている。また、ユーザがセットアップキーを用いて、音声や字幕等の言語を一度に設定するもの（特許文献２）も提案されている。 さらなる方法として、戻し再生回数に従って任意の音声言語、字幕の表示／非表示、及び字幕表示言語を自動的に切替えるもの（特許文献３）が提案されている。
【特許文献１】特開２０００−３３１４６４号公報
【特許文献２】特開２００３−１４３５２７号公報
【特許文献３】特開２００４−９６５１２号公報
【発明の開示】
【発明が解決しようとする課題】
【０００３】
しかしながら、上述の３つの方法の何れにおいても、コンテンツ再生装置を語学や音楽の学習を主体として用いる場合には、サブコンテンツは短時間、もしくは繰り返し回数に応じて自動的に切り替えられるだけである。つまり、音声が母国語以外である場合の「音声の聞き取り難さ」や、字幕が母国語以外である場合の「字幕の読み取り難さ」或いは「字幕の理解し難さ」と言う問題は解消されない。
例えば、ユーザの操作に応じて、ユーザが指定した字幕や音声への設定を瞬時に切り替える方法（特許文献１）は、ユーザが指定した字幕や音声への切り替えが完了するまでの時間を短縮させるものであり、ユーザの操作の煩雑さを解消するものではない。また、ユーザがセットアップキーを用いて、音声や字幕等の言語を一度に設定する方法（特許文献２）も、やはり、ユーザのキー操作の煩雑さを解消するものではない。
戻し再生回数に従って任意の音声言語、字幕の表示／非表示、及び字幕表示言語を自動的に切替える方法（特許文献３）では、ユーザのキー操作の煩雑さは解消できる。しかし、サブコンテンツが戻し再生時に自動で切り替えられるだけであると共に再生速度が一定であるので、聴きなれて無い言葉を通常の速度で繰り返すだけでは十分に聞き取れるとはいえない。この状態を改善する為には、ユーザは学習内容に応じて一から音声や字幕の切り替えパターンを考えなければならない。つまり、聞き取り難いコンテンツや読み取り難いコンテンツの理解の補助には不十分である。
上述の３つ方法のいずれにおいても、コンテンツ再生装置を語学や音楽の学習を主体として用いた場合、特定のシーンを複数の言語や歌詞の有り無し等を選択しながら何度も再生するには、「再生ポイントの変更」、「音声・字幕の言語選択」、「歌詞の有り無し」、および「ボーカルの有り無し」等の複数の設定を、ユーザが何度も繰返し行う必要がある。それゆえに、操作が煩雑となり、ユーザの効率的な学習の妨げとなっている。
【０００４】
よって、本発明は再生するコンテンツに対して、単にサブコンテンツを切り替えるだけでは無く、その再生モードもあわせて切り替えることでユーザのコンテンツに対する理解し易さを助け、且つ再生パターンを段階的に切り替える事で計画的な学習を助け、さらに、学習内容に応じた推奨例をユーザに提示するコンテンツ再生装置およびコンテンツ再生方法を提供する事を目的とする。
【課題を解決するための手段】
【０００５】
複数のサブコンテンツを有するコンテンツデータから、コンテンツを繰返し再生するコンテンツ再生装置であって、
前記コンテンツデータから、少なくとも複数のサブコンテンツを分離抽出するコンテンツデータ分離手段と、
コンテンツの再生を繰返す毎に、前記複数のサブコンテンツから再生するものを選択する再生サブコンテンツ選択手段とを備える。
【発明の効果】
【０００６】
本発明にかかるコンテンツ再生装置においては、コンテンツの再生頻度に応じて、再生されるサブコンテンツが自動的選択される。よって、ユーザが毎回、再生されるサブコンテンツを指定する煩わしさがない。さらに、コンテンツの再生頻度に応じて、再生モードと再生されるサブコンテンツが再生パターンとして選択され、且つ学習内容に応じた再生パターンとその順序がユーザに提示される。 これにより再生内容の聞き取り易さ、および読解のし易さが向上すると共に、段階的にパターンが切り替わる事で効率的に理解する事が可能となる。
【発明を実施するための最良の形態】
【０００７】
（第１の実施の形態）
以下に、本発明の第１の実施の形態について、図１、図２、図３、および図４を参照して説明する。図１に示すように、本発明の第１の実施の形態に係るコンテンツ再生装置Ａｐは、外部のコンテンツデータ源（図示せず）からコンテンツのデータストリームＤＳＴが入力されるコンテンツデータ分離器１、サブコンテンツセレクタ２、再生処理機３、出力器４、制御器５、サブコンテンツ選択パターン決定器１０を含む。サブコンテンツ選択パターン決定器１０は、繰返し再生検出器６、繰返し回数カウンタ７、およびサブコンテンツ選択パターンテーブル８を含む。制御器５は、好ましくはキーボードやリモコンで構成される外部の入力装置（図示せず）を介して入力されるユーザの操作指示ＤＣに基づいて、コンテンツ再生装置Ａｐの各構成要素を制御する制御データＤｃを生成して出力する。
【０００８】
また、コンテンツデータ分離器１に接続される外部のコンテンツデータ源とは、ＤＶＤやＤＶＣに代表されるデジタルデータ記録媒体と、これらの記録媒体からデータストリームＤＳＴを読み出す光ピックアップや磁気ピックアップを含む公知な手段で構成されている。なお、本明細書においては、紙面の都合および冗長を避けるために、サブコンテンツ選択パターン決定器１０に重点をおいて説明する。
【０００９】
コンテンツデータ分離器１は、外部のコンテンツデータ源（図示せず）から供給される、コンテンツのデータストリームＤＳＴをデマルチプレクスして、メインのコンテンツ情報である映像音声データＤａｖと、音声サブコンテンツデータＤａ１、Ｄａ２、およびＤａ３と、字幕サブコンテンツデータＤｓ１、Ｄｓ２、およびＤｓ３とに分離抽出する。そのために、コンテンツデータ分離器１は、メイン情報抽出機１ａｖ、第１音声サブコンテンツ抽出器１ａ１、第２音声サブコンテンツ抽出器１ａ２、第３音声サブコンテンツ抽出器１ａ３、第１字幕サブコンテンツ抽出器１ｓ１、第２字幕サブコンテンツ抽出器１ｓ２、および第３字幕サブコンテンツ抽出器１ｓ３を含む。なお、図１においては、紙面の都合上、それぞれ、メイン情報、音声サブコンテンツ１、音声サブコンテンツ２、音声サブコンテンツ３、字幕サブコンテンツ１、字幕サブコンテンツ２、および字幕サブコンテンツ３と記述されている。
【００１０】
つまり、メイン情報抽出機１ａｖは、データストリームＤＳＴから映像音声データＤａｖを分離抽出して、再生処理器３に対して出力する。第１音声サブコンテンツ抽出器１ａ１、第２音声サブコンテンツ抽出器１ａ２、および第３音声サブコンテンツ抽出器１ａ３は、それぞれ、データストリームＤＳＴから第１音声サブコンテンツＤａ１、第２音声サブコンテンツＤａ２、および第３音声サブコンテンツＤａ３を分離抽出する。同様に、第１字幕サブコンテンツ抽出器１ｓ１、第２字幕サブコンテンツ抽出器１ｓ２、および第３字幕サブコンテンツ抽出器１ｓ３は、データストリームＤＳＴから第１字幕サブコンテンツＤｓ１、第２字幕サブコンテンツＤｓ２、および第３字幕サブコンテンツＤｓ３を分離抽出する。
【００１１】
第１音声サブコンテンツＤａ１、第２音声サブコンテンツＤａ２、および第３音声サブコンテンツＤａ３を音声サブコンテンツＤａと総称する。また、第１字幕サブコンテンツＤｓ１、第２字幕サブコンテンツＤｓ２、および第３字幕サブコンテンツＤｓ３を、字幕サブコンテンツＤｓと総称する。なお、音声サブコンテンツＤａおよび字幕サブコンテンツＤｓを、サブコンテンツＤｓｃと総称する。
【００１２】
サブコンテンツセレクタ２は、サブコンテンツ選択パターン決定器１０から入力される選択パターンデータＳｐに基づいて、第１音声サブコンテンツ抽出器１ａ１、第２音声サブコンテンツ抽出器１ａ２、第３音声サブコンテンツ抽出器１ａ３、第１字幕サブコンテンツ抽出器１ｓ１、第２字幕サブコンテンツ抽出器１ｓ２、および第３字幕サブコンテンツ抽出器１ｓ３の出力ポートを選択的に、再生処理器３の入力ポートに接続する。結果、
第１音声サブコンテンツＤａ１、第２音声サブコンテンツＤａ２、第３音声サブコンテンツＤａ３、第１字幕サブコンテンツＤｓ１、第２字幕サブコンテンツＤｓ２、および第３字幕サブコンテンツＤｓ３の内で、接続された出力ポートに対応するサブコンテンツＤｓｃが再生処理機３に出力される。
【００１３】
再生処理機３は、サブコンテンツ選択パターン決定器１０から入力される選択パターンデータＳｐに基づいて、コンテンツデータ分離器１のメイン情報抽出機１ａｖから入力される映像音声データＤａｖと、サブコンテンツセレクタ２から入力されるサブコンテンツＤｓｃをデコードして、出力器４に出力する。
【００１４】
出力器４は、再生処理機３でデコードされた映像音声データＤａｖとサブコンテンツＤｓｃに基づいて、コンテンツ表示器の物理特性に適した形式の映像／音声信号Ｓａｖを生成して、出力する。本例においては、コンテンツ表示器として、ディスプレイ１１とスピーカ１２が用いられている。
【００１５】
サブコンテンツ選択パターン決定器１０において、繰返し再生検出器６は、制御データＤｃに基づいて、繰返し再生を検出して、繰返し回数カウンタ７をカウントアップさせるカウンタ制御データＣｃを生成する。繰返し再生は、巻き戻しや特定の再生開始ポイントへのジャンプに基づいて、あるいは制御データＤｃに含まれるユーザによる巻き戻し再生指示に基づいて検出される。繰返し回数カウンタ７は、カウンタ制御データＣｃに基づいて、繰返し再生した回数をカウントして、カウント値Ｖｃを生成する。
【００１６】
サブコンテンツ選択パターンテーブル８は、制御器５から入力される制御データＤｃと、繰返し回数カウンタ７から入力されるカウント値Ｖｃに基づいて、内部のＲＯＭおよび／あるいはＲＡＭに記録されているサブコンテンツ選択パターンから、選択するパターンを選択すると共に、選択されたパターンを表す選択パターンデータＳｐをサブコンテンツセレクタ２および再生処理機３に出力する。なお、ＲＡＭに記録されているサブコンテンツ選択パターンは、制御器５からの制御データＤｃによって、自由に書き換えることができる。
【００１７】
図２に、サブコンテンツ選択パターンテーブル８に記録されているサブコンテンツ選択パターンの一例を示す。サブコンテンツ選択パターンテーブル８は、「繰返し回数（Ｖｃ）」、「音声サブコンテンツ（Ｄａ）」、「字幕サブコンテンツ（Ｄｓ）」、および「その他」の４項目に対して、それぞれパターン１、パターン２、パターン３、パターン４、およびパターン５の５種類のパターンが設定されている。  なお、「繰返し回数（Ｖｃ）」は、同一のコンテンツが一旦再生された後に巻き戻されて、再度再生される回数をいう。よって、「繰返し回数（Ｖｃ）」が０とは、コンテンツが本発明にかかるコンテンツ再生装置において初めて再生される場合、あるいはユーザの意志あるいは当該コンテンツ再生装置の動作モードとしてそのように見なす場合に相当する。
【００１８】
なお、本例においては、コンテンツとしては、ＤＶＤ等で提供される、少なくとも英語と日本語の音声および字幕のデータが付与されたＡＶデータとする。「日本語音声」および「英語音声」はそれぞれ第１音声サブコンテンツＤａ１および第２音声サブコンテンツＤａ２に対応し、「日本語字幕」および「英語字幕」はそれぞれ第１字幕サブコンテンツＤｓ１および第２字幕サブコンテンツＤｓ２に対応するものとする。また、その他の「スロー再生」は、再生処理機３の有する機能の１つに対応する。
【００１９】
同例においては、通常の再生状態では、上述のように、繰返し回数（Ｖｃ）が０と見なされるので、パターン１が再生パターンとして選択される。パターン１においては、音声サブコンテンツＤａとして英語音声が選択され、字幕サブコンテンツＤｓとして日本語字
幕が選択され、その他としては何も選択されない。
【００２０】
そして、コンテンツを初めて再生後あるいは再生中に、巻き戻し再生をする場合には、繰返し回数（Ｖｃ）は１であるので、パターン２が選択される。結果、音声サブコンテンツＤａとして英語音声の代わりに日本語音声が選択される。そして、字幕サブコンテンツＤｓとして日本語字幕の代わりに英語字幕が選択される。なお、その他としては、引き続き何も選択されない。
【００２１】
そして、コンテンツの再生後あるいは再生中に、さらに、巻き戻し再生が指示されると、繰返し回数（Ｖｃ）は２であるので、引き続きパターン２が選択される。よって、音声サブコンテンツＤａ、字幕サブコンテンツＤｓ、およびその他ともに変更されない。なお、コンテンツの再生後あるいは生成中に、巻き戻し再生することを繰返し再生と呼び、その回数を繰返し数（Ｖｃ）と呼ぶ。
【００２２】
繰返し回数（Ｖｃ）が３および４の場合は、パターン３が選択される。パターン３においては、音声サブコンテンツＤａとして日本語音声の代わりに英語音声が選択され、字幕サブコンテンツＤｓとしては引き続き英語字幕が選択される一方、その他としてはスロー再生が選択される。
【００２３】
そして、繰返し数（Ｖｃ）が５および６の場合は、パターン４が選択される。パターン４においては、音声サブコンテンツＤａとしては、引き続き英語音声が選択される。そして、字幕サブコンテンツＤｓとしては、何も選択されない。その他としては、引き続きスロー再生が選択される。
【００２４】
さらに、繰返し数（Ｖｃ）が７以上の場合は、パターン５が選択される。パターン５においては、音声サブコンテンツＤａとしては、引き続き英語音声が選択される。そして、字幕サブコンテンツＤｓとしては、引き続き何も選択されない。その他としては、スロー再生では無く通常再生が選択される。
【００２５】
このように、ユーザは、初めは、日本語字幕で、英語音声の意味を理解する。次に、日本語音声で、英語字幕の意味を理解する。そして、次に、英語音声と英語字幕とでコンテンツをスロー再生することによって、英語音声と英語字幕に対する理解を深める。さらに、次に、それまでに深めた英語音声と英語字幕の理解に基づいて、英語音声のみでコンテンツをスロー再生することによって、英語音声を余裕をもって視聴できる。最後に、英語音声のみでコンテンツを通常に再生させて、通常速度の英語音声に対する理解力を高める。このように、本実施の形態においては、繰返し再生の回数に応じて、ユーザの英語の聞き取り力が高まるように、負担（音声サブコンテンツＤａ、字幕サブコンテンツＤｓ、再生速度）を増大させている。結果、ユーザの英語に対する学習効率の向上が期待できる。なお、日本語に対する学習効率を向上させる場合に、音声サブコンテンツＤａと字幕サブコンテンツＤｓとして日本語のものを本例における英語のものと同様に選択すればよい。
【００２６】
このように、本発明に係るコンテンツ再生装置においては、コンテンツを繰返し再生すると、再生内容が変更、つまり別の視聴パターンに切り替わる。そして、繰返し再生の操作内容（繰返し回数や操作種別）とリンクさせて、繰返し再生後の再生内容を別の再生パターンに切り替えることができる。さらに、サブコンテンツ選択パターンテーブル８は、ＲＯＭとして初期値の他に、ＲＡＭに自由に定義できるので、ユーザが視聴パターンを自由にカスタマイズしたり、コンテンツの管理情報に基づいて、視聴パターンを設定し直したりできる。また、言うまでもなく、サブコンテンツ選択パターンテーブル８は、図２に示した項目に限定されることなく、再生対象となるデータストリームＤSに含まれるデータ種別に応じて、自由に増減できる。
【００２７】
次に、図３に示すフローチャートを参照して、本実施の形態にかかるコンテンツ再生装置Ａｐの動作について説明する。
先ず、ステップＳ２において、ユーザによる巻き戻し再生指示が入力されたか否かが判断される。つまり、ユーザの巻き戻し再生の指示に応答して、制御は次のステップＳ４に進む。
【００２８】
ステップＳ６において、図２に示したサブコンテンツ選択パターンテーブル８に基づいて、所定の再生付加情報選択パターンが決定される。具体的には、繰返し回数カウンタ７から出力されるカウント値Ｖｃの値に応答するパターンに対応する選択パターンデータＳｐがサブコンテンツ選択パターンテーブル８から出力される。そして、制御は次のステップＳ６に進む。
【００２９】
ステップＳ８において、コンテンツデータ分離器１の第１音声サブコンテンツ抽出器１ａ１および第２音声サブコンテンツ抽出器１ａ２と、第１字幕サブコンテンツ抽出器１ｓ１および第２字幕サブコンテンツ抽出器１ｓ２との内で、選択パターンデータＳｐで選択されている音声サブコンテンツＤａおよび字幕サブコンテンツＤｓに対応するものが、サブコンテンツセレクタ２によって、再生処理機３に接続される。そして、制御は次のステップＳ８に進む。
【００３０】
ステップＳ１０において、コンテンツを所定の位置から再生させるための「巻き戻し」が実行される。なお、「巻き戻し」とは、従来、ＶＣＲのようなシーケンシャルな記録媒体において、すでに再生してローラーに巻き取ってしまった記録部分を再度、読みとりヘッドに位置に来るように、記録媒体を逆方向に巻き戻すことをいう。つまり、読みとりヘッドが記録媒体の再生を再び開始する位置に相対的移動させると言う意味において、本明細書においても、ＤＶＤ等のディスクに代表されるランダム記録媒体であっても、ＤＶＣの同に代表されるシーケンシャル記録媒体におけるのと同様に、「巻き戻し」と呼ぶ。なお、本発明は、ランダム記録媒体およびシーケンシャル記録媒体の両方に用いることができる。そして、制御は次のステップＳ１０に進む。
【００３１】
ステップＳ１２において、所定の位置からコンテンツが再生される。具体的には、コンテンツメディアから読み出されたデータストリームＤＳＴは、コンテンツデータ分離器１で映像音声データＤａｖ、音声サブコンテンツＤａ、および字幕サブコンテンツＤｓに分離される。映像音声データＤａｖは、コンテンツデータ分離器１から直接再生処理機３に入力される。一方、ステップＳ４で選択された音声サブコンテンツＤａと字幕サブコンテンツＤｓが、ステップＳ６において接続されたサブコンテンツセレクタ２を介して再生処理機３に入力される。
【００３２】
再生処理機３は、入力される映像音声データＤａｖおよびサブコンテンツＤｓｃ（音声サブコンテンツＤａ、字幕サブコンテンツＤｓ）をデコードして、出力器４に出力する。出力器４は、デコードされた映像音声データＤａｖおよびサブコンテンツＤｓｃに基づいて、映像音声ストリームＳａｖを生成する。そして、映像音声ストリームＳａｖはコンテンツ提示器（ディスプレイ１１およびスピーカ１２）によって、ユーザに対して視覚的および音響的に提示される。なお、本発明の目的する「再生するコンテンツが自動的に選択設定」は、上述のステップＳ４の時点で実現されている。
【００３３】
図４を参照して、上述のコンテンツ再生装置Ａｐにおけるコンテンツ再生動作について、さらに詳しく説明する。同図において、縦軸はコンテンツ再生動作における時刻の経過を示す時間軸であり、横軸はコンテンツの再生されている部分であるコンテンツ再生位置順位における位置を示す。なお、右側には、当該時間軸に同期して、選択されるサブコンテンツ選択パターンと、選択されて再生される音声サブコンテンツＤａおよび字幕サブコンテンツＤｓの具体例が示されている。
【００３４】
つまり、時刻ｔ１において、ユーザによるコンテンツ再生位置Ｐ１からの再生指示が成される（ステップＳ２）と、サブコンテンツ選択パターンテーブル８に基づいて、カウント値Ｖｃに対応するパターン１が選択される（ステップＳ６）。つまり、０回目の繰返し再生であるのでカウント値Ｖｃは０である。よって、サブコンテンツ選択パターンテーブル８に基づいて、パターン１が選択される。具体的には、音声サブコンテンツＤａとして英語音声が選択され、字幕サブコンテンツＤｓとして日本語字幕が選択される。
【００３５】
よって、コンテンツデータ分離器１によって、第２音声サブコンテンツ抽出器１ａ２と第１字幕サブコンテンツ抽出器１ｓ１が再生処理機３に接続される（ステップＳ８）。次に、光ピックアップがコンテンツ記録媒体の再生開始位置（Ｐ１）に移動して、巻き戻しが完了する（ステップＳ１０）。そして、同位置からコンテンツが再生されて、コンテンツデータ分離器１から映像音声データＤａｖが直接再生処理機３に入力され、英語音声（第２音声サブコンテンツＤａ２）および日本語字幕（第１字幕サブコンテンツＤｓ１）がサブコンテンツセレクタ２を介して再生処理機３に入力される。そして、再生処理機３および出力器４を経て、ディスプレイ１１やスピーカ１２でユーザに再生されたコンテンツが提示される。なお、直線Ｌ１は、再生されるコンテンツの位置／位置を表している。
【００３６】
時刻ｔ２において、コンテンツの再生中あるいは再生後に関わらず、再び、ユーザによる巻き戻し再生要求がなされる（ステップＳ２）と、１回目の繰返し再生であるのでカウント値Ｖｃは１である。よって、サブコンテンツ選択パターンテーブル８に基づいて、パターン２が選択される（ステップＳ６）。パターン２では、日本語音声（第１音声サブコンテンツＤａ１）および英語字幕（第２字幕サブコンテンツＤｓ２）が選択される。よって、サブコンテンツセレクタ２は、第１音声サブコンテンツ抽出器１ａ１と第２字幕サブコンテンツ抽出器１ｓ２を再生処理機３に接続する（ステップＳ８）。次に、光ピックアップは、コンテンツ再生位置Ｐ２からコンテンツ再生位置Ｐ１に移動させられて、巻き戻しが実行される（ステップＳ１０）。なお、点線Ｌ２は、巻き戻される光ピックアップのコンテンツ位置／時刻を表している。
【００３７】
そして、時刻ｔ３において、コンテンツの再生が開始されて、コンテンツデータ分離器１から映像音声データＤａｖが直接再生処理機３に入力され、日本語音声（第１音声サブコンテンツＤａ１）および英語字幕（第２字幕サブコンテンツＤｓ２）がサブコンテンツセレクタ２を介して再生処理機３に入力される。そして、再生処理機３および出力器４を経て、ディスプレイ１１やスピーカ１２でユーザに再生されたコンテンツが提示される（ステップＳ１２）。なお、直線Ｌ３は、直線Ｌ１と同様に、再生されるコンテンツの位置／位置を表している。
【００３８】
上述のように、初めての巻き戻し再生の場合の動作について説明したが、図２には、２回目から７回目の繰返し再生の場合に設定されるサブコンテンツ選択パターンの例が示されている。よって、図５および図６を参照して、任意な回数の繰返し再生の場合の動作について簡単に説明する。
【００３９】
図５に示すフローチャートは、図３に示したフローチャートにおいて、ステップＳ２とステップＳ６の間に、ステップＳ６が挿入されている。ステップＳ６においては、上述のカウント値Ｖｃがカウントアップさせられる。つまり、ステップＳ２において、ユーザによる巻き戻し再生の指示を検出する度に１ずつインクリメントされる。そして、ステップＳ６においては、このインクリメントされたカウント値Ｖｃに基づいて、サブコンテンツ選択パターンが決定される。
【００４０】
図６も、基本的に図４と同様である。但し、コンテンツ再生位置Ｐ１およびＰ２をそれぞれコンテンツ再生位置Ｐ（ｏ）およびＰ（ｏ＋１）として表し、時刻をｔ（ｎ）、ｎは任意の整数、を中心として前後に＋−を附して表し、カウント値Ｖｃをｍと表し、再生コンテンツの位置／時間を直線L（ｎ−３）、Ｌ（ｎ−１）、およびＬ（ｎ＋１）と表し、
光ピックアップの位置／時間もＬ（ｎ−２）およびＬ（ｎ）と表し、パターン番号もＰ（ｆ（ｍ−１））およびＰ（ｆ（ｍ））と表して、一般化している。なお、ｏ、ｎ、およびｍはそれぞれ任意の整数である。
【００４１】
また、パターン番号Ｐ（ｆ（ｍ））は、カウント値Ｖｃの値に対して、直線的に対応するのではなく、図２に例示したように、所定の関係で設定されることを意味している。また、ｍが７以上、つまりＰ（ｆ（７））以上を意味している。なおＰ（ｆ（７））はパターン５に対応する。よって、選択されるサブコンテンツは、英語音声のみである。
【００４２】
（第２の実施の形態）
以下に、本発明の第２の実施の形態について、図７、図８、および図９を参照して説明する。本実施の形態に係るコンテンツ再生装置は、サブコンテンツ選択パターンテーブル８がサブコンテンツ選択パターンテーブル８ｒに交換されている点を除いては、図１に示したコンテンツ再生装置Ａｐと同様に構成されている。また、サブコンテンツ選択パターンテーブル８ｒに対応して、制御器５による制御動作も変更されている。よって、図７を参照して、サブコンテンツ選択パターンテーブル８ｒについて説明すると共に、図８を参照して制御器５の制御動作について説明するが、本実施の形態にかかるコンテンツ再生装置の構成については上述の図１を流用する。
【００４３】
本実施の形態にかかるコンテンツ再生装置おいては、上述の第１の実施の形態における巻き戻し再生の回数に応じてサブコンテンツ選択パターンを決定する機能に加えて、再生モードの種類に応じてサブコンテンツ選択パターンを決定する機能を備えている。そのために、サブコンテンツ選択パターンテーブル８ｒは、サブコンテンツ選択パターンテーブル８に比べて、再生モードに基づくパターン設定パラメータが追加されている。
【００４４】
図７に示すように、サブコンテンツ選択パターンテーブル８ｒは、通常再生用テーブルＴｎと、特殊再生用テーブルＴｓに大別される。通常再生用テーブルＴｎは、図２に示したサブコンテンツ選択パターンテーブル８と同一である。特殊再生用テーブルＴｓも通常再生用テーブルＴｎに類似しているが、繰返し回数（Ｖｃ）の代わりに再生モード（ｍｏｄｅ）に基づいて、選択パターンが設定されている。具体的には、再生モード（ｍｏｄｅ）は、「通常」再生、「スキップアップ」再生、「スキップダウン」再生、「スロー１」再生、および「スロー２」の５種類が設定されている。
【００４５】
「通常」は、巻き戻しすることなく、ユーザの再生指示に応答してコンテンツの再生を行うモードである。「スキップアップ」再生は、前回コンテンツ再生を開始した位置（Ｐ（ｏ））より、遡った位置（Ｐ（ｏ−β））まで巻き戻して再生するモードである。「スキップダウン」再生は、前回コンテンツ再生を開始した位置（Ｐ（ｏ））より、下流側の位置（Ｐ（ｏ＋α））まで巻き戻して再生するモードである。なお、αおよびβはそれぞれ、任意な正数である。「スロー１」再生、および「スロー２」はそれぞれ、通常の再生速度より遅い速度で再生するモードである。
【００４６】
図８を参照して、本実施の形態にかかるコンテンツ再生動作について説明する。図８に示すフローチャートは、図５に示したフローチャートにおいて、ステップＳ２とステップＳ６を結ぶステップＳ３とステップＳ５が追加されると共に、ステップＳ１２の後にステップＳ１４およびステップＳ１６が追加されている。そして、ステップＳ１４とステップＳ６を結ぶステップＳ１８とステップＳ２２０が追加されている。
【００４７】
結果、ステップＳ２において、ユーザのコンテンツ再生要求が巻き戻し再生でないと判断される場合には、ステップＳ３において、特殊再生用テーブルＴｓで分類されている再生モード（ｍｏｄｅ）のいずれかであるか否かが判断される。いずれにも該当しない場合は、制御はステップＳ２に戻る。そして、特殊再生モードである場合には、ステップＳ５において、該当するモードにあわせて再生方法が設定される。なお、本例においては、スキップダウン再生に併せて、巻き戻し位置がＰ（ｏ＋α）に設定される。そして、制御は上述ステップＳ６、Ｓ８、Ｓ１０、およびＳ１２を経て、新たに設けられたステップＳ１４に進む。
【００４８】
ステップＳ１４においては、ステップＳ３で検出された、特殊再生モードがキャンセルされているか否かが判断される。なお、キャンセル条件としては、ユーザによりキャンセル指示が入力されているか、別の再生指示が入力されているか、または特殊再生が完了しているか等の任意な条件を設定できる。Ｙｅｓの場合は、ステップＳ６で決定されたサブコンテンツ選択パターンをリセットして、制御を終了する。一方、ステップＳ１４に、Ｎｏと判断される場合、制御はステップＳ１８に進む。
【００４９】
ステップＳ１８においては、ユーザにより、特殊再生の指示が再び成されているか否かが判断される。Ｎｏと判断される場合、制御は上述のステップＳ１４に戻る。一方、Ｙｅｓと判断される場合、上述のステップＳ４におけるのと同様にカウント値Ｖｃをカウントアップして、ステップＳ６に戻る。このように構成することによって、ユーザの指示が特殊再生の場合には、繰返し回数（Ｖｃ）に基づくのではなく、再生モード（ｍｏｄｅ）に基づいて作成された特殊再生用テーブルＴｓに規定されるサブコンテンツ選択パターンで再生される。そして、ユーザの指示が通常の再生の場合には、特殊再生モードにおける再生も含む繰返し回数（Ｖｃ）に基づく通常再生用テーブルＴｎで規定されるサブコンテンツ選択パターンで再生される。
【００５０】
図９に、上述のコンテンツ再生装置におけるコンテンツ再生動作について、さらに詳しく説明する。同図においても、基本的に図６と同様に、一般化して表示されている。なお、本例においては、サブコンテンツとして、英語音声が選択されるようすが示されている。
【００５１】
（第３の実施の形態）
次に、本発明の第３の実施の形態について、図１０、図１１、および図１２を参照して説明する。本実施の形態に係るコンテンツ再生装置においては、上述の特殊再生用テーブルＴｓをユーザが編集できる機能を有している。本実施の形態にかかるコンテンツ再生装置は、図１に示したコンテンツ再生装置Ａｐと同様に構成されている。また、特殊再生用テーブルＴｓをユーザが編集できるために、制御器５による制御動作も変更されている。よって、図１０に制御器５の制御動作を表すフローチャートを示し、図１１に特殊再生用テーブルＴｓが編集される様子を示し、そして、図１２に特殊再生用テーブルＴｓの編集時にユーザに提示される特殊再生用テーブルＴｓの編集入力画面の一例を示す。
【００５２】
図１０に示すように、本コンテンツ再生装置においては、先ずステップＳ１０２において、ユーザがサブコンテンツ選択パターン、つまり特殊再生用テーブルＴｓの編集を指示している否かが判断される。Ｙｅｓの場合、制御は次のステップＳ１０４に進む。
【００５３】
ステップＳ１０４において、サブコンテンツ選択パターン編集メニューが表示される。なお、図１２に、特殊再生用テーブルＴｓにおいて編集を受ける部分の、編集前（左側）と編集後（右側）の一例を示す。そして、制御は次のステップＳ１０６に進む。同例では、特殊再生用テーブルＴｓにおけるパターン３が編集対象となっている。編集前のパターン３においては、音声サブコンテンツＤａとして英語音声（第２音声サブコンテンツＤａ２）が選択され、字幕サブコンテンツＤｓとして英語字幕（第２字幕サブコンテンツＤｓ２）が選択され、その他としてはスロー再生選択されていない。
【００５４】
編集後の結果、音声サブコンテンツＤａとして英語音声（第２音声サブコンテンツＤａ２）が引き続き選択され、字幕サブコンテンツＤｓとして英語字幕の代わりに第１字幕サブコンテンツＤｓ１が選択され、その他としてスロー再生が選択されている。
【００５５】
そして、ステップＳ１０６において、パターン編集入力がされているか否かが判断される。つまり、図１２の左側に例示したサブコンテンツ選択パターン編集メニューにおいて、○×の内容が変わっているか否かが判断される。パターン編集入力がされた時点で、制御は次のステップＳ１０６に進む。
【００５６】
ステップＳ１０８において、ユーザによるパターン編集入力が完了しているか否かが判断される。たとえば、ユーザによる編集入力完了の通知が入力されていれば、パターン編集入力完了と判断されて、制御は次のステップＳ１１０に進む
【００５７】
ステップＳ１１０において、ユーザによるパターン編集が確定であるか否かが判断される。たとえば、ユーザによる編集確定の通知が入力されていれば、パターン編集確定と判断されて、制御は次のステップＳ１１２に進む。
【００５８】
ステップＳ１１２において、ユーザにより編集された特殊再生用テーブルＴｓがサブコンテンツ選択パターンテーブル８ｒに書き込まれる。そして、制御は次のステップＳ１１４に進む。
【００５９】
ステップＳ１１４においては、サブコンテンツ選択パターン編集メニューが閉じられて、制御が終了する。なお、上述のステップＳ１１０においてＮｏと判断される場合には、制御はステップＳ１１２をスキップして、ステップＳ１１４に進み、特殊再生用テーブルＴｓは書き換えられることなく、制御が終了する。
【００６０】
図１３に、ユーザにより編集された特殊再生用テーブルＴｓに基づく、再生の様子を示す。図１３は、上述の図９におけるのと同様に一般化して表現されており、直線Ｌ（ｎ−１）が編集前の特殊再生用テーブルＴｓに基づき再生されるサブコンテンツを表し、直線Ｌ（ｎ＋１）が編集後の特殊再生用テーブルＴｓに基づき再生されるサブコンテンツを表している。図９と比較して、スロー再生が追加されていることが読みとれる。
【００６１】
（第４の実施の形態）
次に、本発明の第４の実施の形態について、図１４および図１５を参照して説明する。本実施の形態に係るコンテンツ再生装置においては、ユーザが設定する、コンテンツの特定の２点間で繰返し再生される回数に応じて、サブコンテンツ選択パターンが決定される機能を有している。
図１４に示すフローチャートは、図８に示したフローチャートにおいて、ステップＳ２、ステップＳ３、およびステップＳ５が削除されると共に、ステップＳ４の上流に新たなステップＳ２０２とステップＳ２０３が追加されている。さらに、ステップＳ１４およびステップＳ１８がそれぞれステップＳ２１４およびステップＳ２１８と交換され、そして、ステップＳ２０が削除されている。なお、ステップＳ２１８においてＹｅｓの場合の制御の行き先は、ステップＳ６に戻っている。
【００６２】
結果、ステップＳ２０２でユーザによる２点間繰返し再生指示に応答して、ステップＳ
２０３において、再生する２点の位置が設定される。そして、ステップＳ４〜ステップＳ１２を経て、コンテンツの再生中或いは再生中に２点間繰返しがキャンセルされているか否かが判断される。Ｙｅｓの場合、ステップＳ１６を経て、制御は終了する。一方、ステップＳ２１４でＮｏと判断される場合、ステップＳ２１８において、コンテンツ再生が完了していないと判断される場合は、ステップＳ１２に戻りコンテンツ再生が継続される。一方、ステップＳ２１８において、コンテンツ再生が完了されていると判断される場合は、ステップＳ４に戻って、２点間繰返し再生を継続する。
【００６３】
図１５に、本実施の形態にかかるコンテンツ再生装置における２点間繰返し再生において、出力されるサブコンテンツの様子を示す。同図において、直線Ｌ１、Ｌ３、Ｌ５、Ｌ７、およびＬ８と２点間再生が繰返されるごとのコンテンツ再生を示している。
【００６４】
（第５の実施の形態）
次に、本発明の第５の実施の形態について、図１６、図１７、図１８、および図１９を参照して説明する。本実施の形態に係るコンテンツ再生装置は、上述の通常再生用テーブルＴｎをユーザが編集できる機能を有している。本実施の形態にかかるコンテンツ再生装置は、図１に示したコンテンツ再生装置Ａｐと同様に構成されている。また、通常再生用テーブルＴｎをユーザが編集できるために、制御器５による制御動作も変更されている。よって、図１６に制御器５の制御動作を表すフローチャートを示し、図１７に通常再生用テーブルＴｎが編集される様子を示し、そして、図１８に通常再生用テーブルＴｎの編集時にユーザに提示される通常再生用テーブルＴｎの編集入力画面の一例を示し、図１９に本実施の形態にかかるコンテンツ再生装置において繰返し回数（Ｖｃ）に応じて出力されるサブコンテンツを示す。
【００６５】
図１６に示すフローチャートは、編集対象が特殊再生用テーブルＴｓでは無く、通常再生用テーブルＴｎである点を除けば、図１０に示した第３の実施の形態にかかるフローチャートと基本的に同じである。つまり、ステップＳ３０２、Ｓ３０４、Ｓ３０６、Ｓ３１２、およびＳ３１２は、対象を通常再生用テーブルＴｎと置き換えれば、上述のステップＳ１０２、Ｓ１０４、Ｓ１０６、Ｓ１１２、およびＳ３１４と同様であるので、説明は省く。図１７、図１８、および図１９に関しても、同様であるので、説明を省く。
【００６６】
（第６の実施の形態）
次に、本発明の第６の実施の形態について、図２０を参照して説明する。本実施の形態に係るコンテンツ再生装置は、２点間の繰返し再生モードにおいて、巻き戻し後に再生を再開する前に、ユーザがサブコンテンツ選択パターンテーブル８ｒ（通常再生用テーブルＴｎおよび特殊再生用テーブルＴｓ）の内容を編集できる機能を有している。
なお、図２０に示すフローチャートにおいては、ステップＳ３０４、Ｓ３１２、およびＳ３１４は通常再生用テーブルＴｎを編集する場合の動作が示されているが、特殊再生用テーブルＴｓを編集する場合には、これらのステップをステップＳ２０４、Ｓ２１２、およびＳ２１４と置き換えればよい。
【００６７】
（第７の実施の形態）
次に、本発明の第７の実施の形態について、図２１、図２２、および図２３を参照して説明する。本実施の形態に係るコンテンツ再生装置は、サブコンテンツ選択パターンテーブル８（図２）が、ユーザの学習目的に応じて構成される推奨再生付加情報選択パターンテーブル８ｇ或いは８ｈに交換されている点を除いては、図１に示されたコンテンツ再生装置Ａｐと同様に構成されている。よって、特に必要の無い限り、推奨再生付加情報選択パターンテーブル８ｇおよび８ｈについて重点的に説明する。なお、推奨再生付加情報選択パターンテーブル８ｇおよび８ｈは、ユーザの学習目的に応じて、コンテンツ再生装置の内部のＲＯＭまたはＲＡＭ中に設けられてもよいし、はコンテンツ自体に設けられてもよい。
【００６８】
図２１に、語学学習を目的として構成される推奨再生付加情報選択パターンテーブル８ｇ（以降、「語学学習用推奨再生付加情報選択パターンテーブル８ｇ」と称す）の一例を示す。語学学習用推奨再生付加情報選択パターンテーブル８ｇは、語学学習の学習効率を向上させる事を目的として構成されている。本例においては、語学学習用推奨再生付加情報選択パターンテーブル８ｇは、実質的には、上述の第1の実施形態におけるサブコンテンツ選択パターンテーブル８と同じ内容であるが、推奨再生付加情報選択パターンテーブルの一つとして設定しており、ユーザが選択可能出来る。なお、語学学習用推奨再生付加情報選択パターンテーブル８ｇを選択した場合の学習効果は、第１の実施の形態に関して上述した通りである。
【００６９】
図２２に、カラオケの上達を目的として構成される推奨再生付加情報選択パターンテーブル８ｈ（以降、「カラオケ上達用推奨再生付加情報選択パターンテーブル８ｈ」と称す）の一例を示す。カラオケ上達用推奨再生付加情報選択パターンテーブル８ｈは、カラオケでの歌唱能力を向上させる事を目的として構成されている。本例においては、カラオケ上達用推奨再生付加情報選択パターンテーブル８ｈは、語学学習用推奨再生付加情報選択パターンテーブル８ｇにおいて、音声サブコンテンツＤａとしては、「ガイドメロディ付き」と「リズムのみ」のと２種類が選択される。字幕サブコンテンツＤｓとしては、「歌詞有り」と「無し」との２種類が選択される。そして、その他としては、「ボイスミュート無し」と「ボイスミュート有り」との２種類が選択される。カラオケ上達用推奨再生付加情報選択パターンテーブル８ｈも語学学習用推奨再生付加情報選択パターンテーブル８ｇと同様に、推奨再生付加情報選択パターンテーブルの一つとして設定されており、ユーザが選択可能出来る。なお、カラオケ上達用推奨再生付加情報選択パターンテーブル８ｈｇを選択した場合の効果は、基本的に、デジタル信号制御部８（語学学習用推奨再生付加情報選択パターンテーブル８ｇ）の場合と同様である。
【００７０】
図２３を参照して、本実施の形態にかかるコンテンツ再生装置における推奨再生付加情報選択パターンテーブルの選択動作について説明する。  本コンテンツ再生装置の再生動作を開始するまえに、先ず、ステップＳ４０２において、サブコンテンツ選択パターンテーブルのいずれかが選択されたか否かが判断される。Ｙｅｓと判断される場合、制御は次のステップＳ４０４に進む。
【００７１】
ステップＳ４０４において、サブコンテンツ選択パターンテーブル選択のメニューが表示される。本例においては、選択可能なサブコンテンツ選択パターンテーブルの１種類として、推奨再生付加情報選択パターンテーブルが表示されて、ユーザによる選択が促される。そして、制御は次のステップＳ４０６に進む。
【００７２】
ステップＳ４０６において、ステップＳ４０４において、ユーザにより推奨再生付加情報選択パターンテーブルが選択されか否かが判断される。Ｙｅｓと判断された時点で、制御は次のステップＳ４０８に進む。なお、本例においては、推奨再生付加情報選択パターンテーブルとして、推奨再生付加情報選択パターンテーブル８ｇおよびカラオケ上達用推奨再生付加情報選択パターンテーブル８ｈの少なくとも何れかが選択される。
【００７３】
ステップＳ４０８において、ユーザにより推奨再生付加情報選択パターンテーブルが選択されたか否かが判断される。Ｎｏと判断される場合、制御は上述のステップＳ４０６に戻り、ステップＳ４０６および本ステップの両方で、Ｙｅｓと判断された時点で、制御は次のステップＳ４１０に進む。
【００７４】
ステップＳ４１０において、ユーザによる推奨再生付加情報選択パターンテーブルの選択が確定されているか否かが判断される。Ｙｅｓと判断される場合には、制御は、上述のステップＳ３１２を経て、ステップＳ４１４に進み、そしてサブコンテンツ選択パターン選択メニューが終了される。一方、上述のステップＳ４１０において、Ｎｏと判断される場合、制御は上述のステップＳ３１２を迂回して、ステップＳ４１４に進む。このようにして、ユーザが選択した推奨再生付加情報選択パターンテーブル（語学学習用推奨再生付加情報選択パターンテーブル８ｇ或いはカラオケ上達用推奨再生付加情報選択パターンテーブル８ｈ）に基づいて、コンテンツが再生される。
【産業上の利用可能性】
【００７５】
本発明に係るコンテンツ再生装置は、繰返し再生時に自動的にコンテンツの再生内容を切り替える機能を有し、コンテンツの内容に基づいて語学や歌唱等の学習を行う場合等に有用である。
【図面の簡単な説明】
【００７６】
【図１】本発明の第１の実施の形態に係るコンテンツ再生装置の構成を示すブロック図
【図２】図１に示したサブコンテンツ選択パターンテーブルの説明図
【図３】図１に示したコンテンツ再生装置によるコンテンツ再生動作を示すフローチャート
【図４】図１に示したコンテンツ再生装置によるコンテンツ再生の説明図
【図５】図１に示したコンテンツ再生装置による、コンテンツの任意な回数の繰返し再生動作を示すフローチャート
【図６】図５に示したフローチャートに対応するコンテンツ再生装置によるコンテンツ再生の説明図
【図７】本発明の第２の実施の形態にかかるコンテンツ再生装置におけるサブコンテンツ選択パターンテーブルの説明図
【図８】本発明の第２の実施の形態にかかるコンテンツ再生装置によるコンテンツ再生動作を示すフローチャート
【図９】本発明の第２の実施の形態にかかるコンテンツ再生装置によるコンテンツ再生の説明図
【図１０】本発明の第３の実施の形態にかかるコンテンツ再生装置によるコンテンツ再生動作を示すフローチャート
【図１１】本発明の第３の実施の形態にかかるコンテンツ再生装置における特殊再生用テーブル編集の説明図
【図１２】本発明の第３の実施の形態にかかるコンテンツ再生装置における、特殊再生用テーブルの編集画面の説明図
【図１３】本発明の第３の実施の形態にかかるコンテンツ再生装置によるコンテンツ再生の説明図
【図１４】本発明の第４の実施の形態にかかるコンテンツ再生装置によるコンテンツ再生動作を示すフローチャート
【図１５】本発明の第４の実施の形態にかかるコンテンツ再生装置によるコンテンツ再生の説明図
【図１６】本発明の第５の実施の形態にかかるコンテンツ再生装置によるコンテンツ再生動作を示すフローチャート
【図１７】本発明の第５の実施の形態にかかるコンテンツ再生装置における通常再生用テーブル編集の説明図
【図１８】本発明の第５の実施の形態にかかるコンテンツ再生装置における通常再生用テーブルの編集画面の説明図
【図１９】本発明の第５の実施の形態にかかるコンテンツ再生装置によるコンテンツ再生の説明図
【図２０】本発明の第６の実施の形態にかかるコンテンツ再生装置によるコンテンツ再生動作を示すフローチャート
【図２１】本発明の第７の実施の形態にかかるコンテンツ再生装置における、語学学習用推奨再生付加情報選択パターンテーブルの説明図
【図２２】本発明の第７の実施の形態にかかるコンテンツ再生装置における、カラオケ上達用推奨再生付加情報選択パターンテーブルの説明図
【図２３】本発明の第７の実施の形態にかかるコンテンツ再生装置によるコンテンツ再生動作を示すフローチャート
【符号の説明】
【００７７】
Ａｐ  コンテンツ再生装置
１  コンテンツデータ分離器
１ａｖ  メイン情報抽出機
１ａ１  第１音声サブコンテンツ抽出器
１ａ２  第２音声サブコンテンツ抽出器
１ａ３  第３音声サブコンテンツ抽出器
１ｓ１  第１字幕サブコンテンツ抽出器
１ｓ２  第２字幕サブコンテンツ抽出器
１ｓ２  第２字幕サブコンテンツ抽出器
２  サブコンテンツセレクタ
３  再生処理機
４  出力器
５  制御器
６  繰返し再生検出器
７  繰返回数カウンタ
８  サブコンテンツ選択パターンテーブル
８ｇ  語学学習用推奨再生付加情報選択パターンテーブル
８ｈ  カラオケ上達用推奨再生付加情報選択パターンテーブル
１０  サブコンテンツ選択パターン決定器
【図１】
2006066050.tif 000003
【図２】
2006066050.tif 000004
【図３】
2006066050.tif 000005
【図４】
2006066050.tif 000006
【図５】
2006066050.tif 000007
【図６】
2006066050.tif 000008
【図７】
2006066050.tif 000009
【図８】
2006066050.tif 000010
【図９】
2006066050.tif 000011
【図１０】
2006066050.tif 000012
【図１１】
2006066050.tif 000013
【図１２】
2006066050.tif 000014
【図１３】
2006066050.tif 000015
【図１４】
2006066050.tif 000016
【図１５】
2006066050.tif 000017
【図１６】
2006066050.tif 000018
【図１７】
2006066050.tif 000019
【図１８】
2006066050.tif 000020
【図１９】
2006066050.tif 000021
【図２０】
2006066050.tif 000022
【図２１】
2006066050.tif 000023
【図２２】
2006066050.tif 000024
【図２３】
2006066050.tif 000025